(57)【要約】【課題】不要時にセンサー光源装置の光束を閉鎖し、コンピューターのスクリーン上におけるカーソルの任意の移動を避けること。【解決手段】遮蔽機構を有する光学式マウスは、一つの作業面上に操作され、マウスが一つのキャビネット，一つの回路基板，一つのセンサー光源装置，一つの赤外線コントローラー及び一つの遮蔽部を含む。回路基板がキャビネットの内に設けられ、センサー光源装置が回路基板の上に設置でき、赤外線コントローラーがセンサー光源装置と電気的に接続されてその動作を制御する。遮蔽部はキャビネットの内に移動可能に設けられ、キャビネットが作業面を離れる時に、赤外線コントローラーの光信号を遮蔽するように用いられる。【選択図】図１
0003124452.tif 000002
【実用新案登録請求の範囲】
【請求項１】
一つの作業面上で操作される遮蔽機構を有する光学式マウスであって、
その底部に開孔を一つ設ける一つのキャビネットと、
当該キャビネットの内に設けられる一つの回路基板と、
当該回路基板と電気的に接続される一つの光スイッチと、
当該回路基板と電気的に接続され、当該光スイッチの投入と切断によって動作又は非動作の状態となる一つのセンサー光源装置と、
当該キャビネットの内に移動可能に設けられ、一つの突出部を下向きに伸ばして形成し、当該突出部が当該開孔の外へ突出し、当該キャビネットが作業面を離れるときに、当該光スイッチの光路を遮蔽して当該光スイッチを切断する一つの遮蔽部と、を含むことを特徴とする遮蔽機構を有する光学式マウス。
【請求項２】
当該開孔の両側に一つのスライダーがそれぞれ設けられ、当該二つのスライダーの内に当該遮蔽部の両側がそれぞれスライド可能に設けられることを特徴とする請求項１記載の遮蔽機構を有する光学式マウス。
【請求項３】
更に当該キャビネットの内に一つのストッパー部が設けられ、当該ストッパー部が当該遮蔽部と互いに対応することを特徴とする請求項１記載の遮蔽機構を有する光学式マウス。
【請求項４】
更に当該キャビネットの内に一つの弾性素子が設けられ、その一端が当該キャビネットの内に連結し、その他の一端が当該遮蔽部の一端に連結することを特徴とする請求項１記載の遮蔽機構を有する光学式マウス。
【請求項５】
当該回路基板に一つのスルーホールが設けられ、当該赤外線コントローラーは、それぞれ当該スルーホールの両側に位置する一つの信号発射機と一つの信号レシーバーを有することを特徴とする請求項１記載の遮蔽機構を有する光学式マウス。
【請求項６】
当該遮蔽部に一つの透光部が設けられ、当該赤外線コントローラーの光信号は、当該透光部を突き抜けることを特徴とする請求項１記載の遮蔽機構を有する光学式マウス。
【請求項７】
当該透光部は、一つのスルーホールまたは一つのレンズであることを特徴とする請求項６記載の遮蔽機構を有する光学式マウス。
【請求項８】
当該センサー光源装置および当該赤外線コントローラーは、当該回路基板の上に設置されることを特徴とする請求項１記載の遮蔽機構を有する光学式マウス。
【請求項９】
当該センサー光源装置は、一つの光源生成器および一つの光学検出器を有し、当該回路基板の上に設けられることを特徴とする請求項１記載の遮蔽機構を有する光学式マウス。
【請求項１０】
当該光源生成器は、一つのレーザー発光体または一つのＬＥＤであることを特徴とする請求項９記載の遮蔽機構を有する光学式マウス。
【請求項１１】
一つの作業面上で操作される遮蔽機構を有する光学式マウスであって、
その内部に一つのストッパー部と二つのスライダーを設けた一つのキャビネットと、
当該キャビネットの内に設けられる一つの回路基板と、
当該回路基板と電気的に接続される一つの光スイッチと、
当該回路基板と電気的に接続され、当該光スイッチの投入と切断によって動作又は非動作の状態となる一つのセンサー光源装置と、
当該キャビネットに移動可能に設けられ、スライダーおよび当該ストッパー部が互いに対応し、当該キャビネットが作業面を回転して離れるときに、当該光スイッチの光路を遮蔽して当該光スイッチを切断する一つの遮蔽部と、を含むことを特徴とする遮蔽機構を有する光学式マウス。
【請求項１２】
当該キャビネットの内にその他のストッパー部が設けられ、当該其の他のストッパー部が当該二つのスライダーに設けられ、当該遮蔽部が当該二つのスライダーの間に位置することを特徴とする請求項１１記載の遮蔽機構を有する光学式マウス。
【請求項１３】
当該センサー光源装置と当該赤外線コントローラーは、当該回路基板上に設置されることを特徴とする請求項１１記載の遮蔽機構を有する光学式マウス。
【請求項１４】
当該センサー光源装置は、一つの光源生成器および一つの光学検出器を有し、当該回路基板の上に設けられることを特徴とする請求項１１記載の遮蔽機構を有する光学式マウス。
【請求項１５】
当該光源生成器は、一つのレーザー発光体または一つのＬＥＤであることを特徴とする請求項１４記載の遮蔽機構を有する光学式マウス。
【考案の詳細な説明】
【技術分野】
【０００１】
本考案は、光学式マウスの安全装置で、特に光学式マウスの遮蔽機構を有し、光学式マウスが作業面を離れる時に自分で光学式マウスの赤外線コントローラーの光信号を遮断するものである。
【背景技術】
【０００２】
コンピューター・ソフトウェアの進歩および図形のユーザーインターフェースの普及に伴い、マウスが既にコンピューターのユーザーインターフェースに広範に使用されている。従来のマウスは、一般に機械式マウスで、ボールが転がる時にＸ軸とＹ軸のシャッタ輪を動かし、シャッタ輪から一つの光発射機の光信号を間欠的に遮断し、光検出器を経由し、適当な制御回路にて処理することにより、マウスの移動方向を判断できる。さらにコンピューター駆動プログラムに対応することにより、スクリーン上のカーソルの移動方向を制御できる。然しながら、機械式マウスは、ボールにより作業面（例えばマウス・パッド）の上でライドする必要があり、且つボールは一つの円孔よりマウスの底面から露出する必要があり、従って長時間にわたって使用すると、埃がボールと円孔と間のすき間を経由してマウスの内部へ入りやすくなり、マウスの操作に影響を及ぼす。
【０００３】
従来の其の他のマウスは、光学式マウスで、それが腹部の発光体（例えばＬＥＤ）と感光器を利用してマウスの座標をセンサーし、いっそう埃を吸い込む問題がない。然しながら、光学式マウスは、光源を反射する界面のために用いられる材質に限りがあり、光線を吸収する、或いは光線が突き抜ける、或いは光線を邪魔する反射平面上、例えば金属ペイント，ミラー面およびガラス表面等では、光学式マウスは、ブラウズ及び正確なクリック動作ができない。
【０００４】
前述の光学式マウスの使用上における欠点を解決し且つ更なる解像度を向上するために、いわゆるレーザー式光学マウスを用いることにより、レーザー光束の有するコヒーレンスを利用して、コントラストの高い図形を生成し、反射表面材質の問題を解決し、且つ解像感度を大幅に向上する。
【考案の開示】
【考案が解決しようとする課題】
【０００５】
光学式マウスの発光作用に用いられる発光体は、許可された安全標準に合致するが、ユーザーが依然として目で直視することを避けるべきである。安全を確保し、特にレーザー発光体の方面では、さらに直視を避けることにより、ユーザーに対し損害を及ぼすことを避ける必要がある。従来のレーザー及び光学式マウスは、その光源ソースを遮蔽機構で閉鎖することがなく、レーザー又は光学式マウスを使用する時に、安全性に疑問があった。
【０００６】
そのため、本考案者は、前述の欠点を改善するために、特に鋭意研究しかつ学理の運用に対応し、設計が合理的でかつ前述の欠点を有効に改善する本考案を提出するに至る。
【０００７】
本考案の目的は、遮蔽機構を有する光学式マウスを提供するもので、光学式マウスが作業面を離れる時に、光束を閉鎖することにより、光束がユーザーに対し損害を及ぼすことを避け、更にコンピューターのスクリーン上におけるカーソルの任意な移動を避ける。
【課題を解決するための手段】
【０００８】
前述の目的を達成するために、本考案は、一つの作業面上で操作される遮蔽機構を有する光学式マウスであって、その底部に開孔を一つ設けているか、またはその内部に一つのストッパー部と二つのスライダーを設けている一つのキャビネットと、当該キャビネットの内に設けられる一つの回路基板と、当該回路基板と電気的に接続される一つの光スイッチと、当該回路基板と電気的に接続され当該光スイッチの投入と切断によって動作又は非動作の状態となる一つのセンサー光源装置と、当該キャビネットの内に移動可能に設けられ、一つの突出部を下向きに伸ばして形成し当該突出部が当該開孔の外へ突出しているか、またはスライダーおよび当該ストッパー部が互いに対応しており、当該キャビネットが作業面を離れるときに、当該光スイッチの光路を遮蔽して当該光スイッチを切断する一つの遮蔽部とを含む。
【考案の効果】
【０００９】
本考案は、光学式マウスが作業面を離れる時に、光束を閉鎖することにより、光束がユーザーに対し損害を及ぼすことを避け、更にコンピューターのスクリーン上におけるカーソルの任意な移動を避けることができる。
【考案を実施するための最良の形態】
【００１０】
いっそう本考案の特徴および技術内容を了解できるために、以下に本考案に関する詳細な説明および添付の図面を参照するが、しかしながら添付の図面は参考と説明用に供するだけで、より本考案を限定するためものではない。
【００１１】
図１は本考案の光学式マウスの斜視分解図を示す。まず本考案の実施の形態中では、マウスの一部分の素子、例えば押しボタン，ボール，押しボタン・スイッチングなどが従来の技術で、従って本考案をより説明するものではない。同時に本考案のマウスは、無線式マウスまたはケーブル・タイプ・マウスに限らないが、本考案の図面中では、ケーブル・タイプ・マウスを例とする。
【００１２】
再び図１ないし図３を参照して示すように、本考案は、遮蔽機構を有する光学式マウスを提供し、一つの作業面６の上、例えばデスク・トップまたはマウス・パッドなどで操作できる。当該マウスは、一つのキャビネット１，一つの回路基板２，一つのセンサー光源装置３，一つの赤外線コントローラー４と一つの遮蔽部５を含む。
【００１３】
その中でも、当該キャビネット１の外形は、おおよそ円弧形状を呈し、人間工学の設計に準拠することにより、ユーザーの操作の快適性に合致できる。当該キャビネット１は、互いに対応および接合する第１の外側１１と第２の外側１２を有する。当該第２の外側１２の適当な箇所に一つの開口１３が設けられ、後端の適当な位置箇所に円形状を呈する一つの開孔１４が設けられる。当該開孔１４の両側に、それぞれＵ字形を略呈するスライダー１５を上向きに突設する。
【００１４】
当該回路基板２の外形は、おおよそ円弧形状を呈し、適当な位置箇所に一つの破れ穴２１と一つのスルーホール２２が開けられる。当該回路基板２は当該キャビネット１の第１の外側１１と第２の外側１２との間に設置され、第２の外側１２の上、或いは第１の外側１１の上に螺着できる。
【００１５】
当該センサー光源装置３は、一つの光源生成器と一つの光学検出器（図示せず）を有し、光源生成器は、一つのレーザー発光体または一つのＬＥＤであってもよく、光束を生成するために用いられる。光学検出器は、光源生成器の光束を受け入れるように用いられ、所定の機能を行う。当該センサー光源装置３は、当該回路基板２の上に設置され、当該回路基板２と電気的に接続されており、赤外線コントローラー４のスイッチの投入と切断によって動作又は非動作の状態となるようにも接続されている。光源生成器および光学検出器は、当該破れ穴２１の内に位置し、且つ当該キャビネット１の開口１３に対応することにより、光束は作業面６の上で必要な効果を発揮することが出来る。
【００１６】
当該赤外線コントローラー４は、当該回路基板２の上に設置され、当該回路基板２と電気的に接続し、且つ当該センサー光源装置３と電気的に接続する光スイッチである。当該赤外線コントローラー４は、一つの信号発射機４１と一つの信号レシーバー４２を有する。当該信号発射機４１および当該信号レシーバー４２がそれぞれ当該スルーホール２２の両側に位置し、且つ当該キャビネット１のスライダー１５と開孔１４までに対応する。信号発射機４１は特定の光信号を一つ射出でき、且つ信号レシーバー４２はその光信号を受け入れて処理を行い、信号発射機４１および信号レシーバー４２によりスイッチング信号を一つ生成し、これにより当該センサー光源装置３を動作可能とする。
【００１７】
当該遮蔽部５は、当該キャビネット１の中で移動可能に設置され、その外形がおおよそ長方形状を呈し、プラスチックまたは金属などにより製造できる。当該遮蔽部５の適当な位置に一つの透光部５１が設けられ、且つ一端が一段の適当な距離を下向きに伸ばして突出部５２を一つ形成する。本考案の図面中では、透光部５１は一つのスルーホールとしているが、透光部５１は一つの透光性レンズ（図示せず）であってもよく、スルーホールまたはレンズはいずれも同じ効果を達成できる。当該遮蔽部５の両側は、それぞれ当該二つのスライダー１５の内にスライド可能に設けられ、且つ当該回路基板２のスルーホール２２を突き抜けることにより、当該透光部５１が当該信号発射機４１と当該信号レシーバー４２との間に位置し、同時に当該突出部５２が当該キャビネット１の開孔１４の外へ突出する。
【００１８】
図４Ａ，図４Ｂ，図５Ａ，図５Ｂを参照して本考案の操作の使用状態をより詳しく説明する。使用の状態下では、キャビネット１を作業面６に置くときに、突出部５２は作業面６に接触することにより、遮蔽部５が上昇し、信号発射機４１の光信号は、遮蔽部５の透光部５１から、信号レシーバー４２までに突き抜けることにより、光信号を受け入れ（例えば図４Ｂ）、センサー光源装置３は、普段必要な効果を生成する。キャビネット１が作業面６を離れると、突出部５２が作業面６に接触しなくなる。この時に遮蔽部５が自らスライドして下向きに移動し（自由落体）、下降するが、透光部５１が変位することにより、遮蔽部５が信号発射機４１の光信号を遮蔽するので（例えば図５Ｂ）、信号レシーバー４２は信号発射機４１からの光信号を受け入れることが出来ず、信号レシーバー４２が遂に閉鎖信号を一つ伝送し、信号を閉鎖し、センサー光源装置３の光束を閉鎖するように用いられる。
【００１９】
再びキャビネット１が作業面６に接触する時に、突出部５２は作業面６に接触することにより、遮蔽部５はリセットの効果を生成でき、信号発射機４１の光信号が信号レシーバー４２までに突き抜け、再び光信号を受け入れ、即ち開く信号を生成し、センサー光源装置３は、開く信号を受け入れることが出来、即ち光束を生成し回復する。
【００２０】
さらに再び図４と図５を参照して示すように、当該キャビネット１の第１の外側１１の内に一つのストッパー部１６が設けられ、当該ストッパー部１６が当該第１の外側１１の内に固設され、且つ当該遮蔽部５と互いに対応し、さらに両者の間に適当な距離の隙間を有する。ストッパー部１６は、キャビネット１が使用状態の相対側までに回転するとき、当該遮蔽部５が、スライダー１５の外へ落ち込んで機能を失うのを避けるために用いられる（例えば図６）。本考案の図面では、当該ストッパー部１６は一つのバンプであるが、当該ストッパー部１６は一つの弾性素子（図示せず）、例えば圧縮バネ、延伸バネなどに交替でき、その一端が当該キャビネット１の第１の外側１１の内に連結し、その他の一端が当該遮蔽部５の一端に連結することにより、同じ効果を提供する。さらにキャビネット１が作業面６を離れる時に、弾性素子の弾性により、遮蔽部５を動かして赤外線コントローラー４を遮蔽し、センサー光源装置３を閉鎖する。
【００２１】
例えば図７に示すように、当該キャビネット１の内に二つのストッパー部１６を設けることが出来る。その中の一つのストッパー部１６は当該トップ・カバー１１の内に固設され、且つ一段の適当な長さを伸ばして信号発射機４１と信号レシーバー４２に隣接する。其の他のストッパー部１６は二つのスライダー１５の内に固設／摺接されるが、二つのストッパー部１６は互いに対応し、遮蔽部５が二つのストッパー部１６の間に位置する。そして遮蔽部５には突出部５２と透光部５１は設けられない。使用の状態下では、キャビネット１を作業面６に置くときに、信号発射機４１の光信号は、遮蔽部５と第１の外側１１内のストッパー部１６との両者の間の隙間により、受入れユニット４２までに突き抜けることにより、光信号を受け入れる。キャビネット１が使用状態から裏返しになるときに、遮蔽部５が下向きにスライドして発射ユニット４１の光信号を遮蔽できる。
【００２２】
しかしながら、ひいては本考案の遮蔽部５も、一段の適当な長さを下向きに伸ばしてキャビネット１の第２の外側１２に隣接することにより、遮蔽部５の下方に位置する其の他のストッパー部１６を交替できるが、これにより、前述と同じ機能を達成できる。
【００２３】
従って、本考案により生成できる特長および機能を下記のようにまとめる。
【００２４】
１．微妙な構造設計により、本考案は、遮蔽部５の動作を利用し、センサー光源装置３の開放または閉鎖を制御および提供することが出来る。これにより、センサー光源装置３の光束がユーザーに対し損害を及ぼすことを避ける。
【００２５】
２．本考案は、遮蔽部５の動作を利用し、光送受信装置３の開放または閉鎖を制御するように提供できるが、キャビネット１が作業面６を離れるときに、ひいてはコンピューターのスクリーン上におけるカーソルの任意の移動を避けることが出来る。
【００２６】
３．本考案は、遮蔽部５とスライダー１５により、必要とされる目的を達成できるが、さらにセンサー回路などを一つ増加する必要がなく、センサー光源装置３をオンおよびオフすることができ、製造者に対し製造コストの低減を提供する。
【００２７】
しかしながら、以上の叙述は本考案のより好ましい実施可能な実施の形態だけであり、これにより本考案の実用新案登録請求の範囲を限定するものではなく、従って本考案の明細書及び図面の内容を応用してなる等価な構造変化は、いずれも全て同義に本考案の範囲内に含まれる。
【図面の簡単な説明】
【００２８】
【図１】本考案の実施の形態における第１の斜視分解図である。
【図２】本考案の実施の形態における第２の斜視分解図である。
【図３】本考案の実施の形態における第２の外側斜視図である。
【図４Ａ】本考案の実施の形態における第１の使用状態の模式図である。
【図４Ｂ】図４のＡ部分の詳細図である。
【図５Ａ】本考案の実施の形態における第２の使用状態の模式図である。
【図５Ｂ】図５のＡ部分の詳細図である。
【図６】本考案の実施の形態における第３の使用状態の模式図である。
【図７】本考案の実施の形態における第４の使用状態の模式図である。
【符号の説明】
【００２９】
１  キャビネット
２  回路基板
３  センサー光源装置
４  赤外線コントローラー
５  遮蔽部
６  作業面
１１  第１の外側
１２  第２の外側
１３  開口
１４  開孔
１５  スライダー
１６  ストッパー部
２１  破れ穴
２２  スルーホール
４１  信号発射機
４２  信号レシーバー
５１  透光部
５２  突出部
【図１】
0003124452.tif 000003
【図２】
0003124452.tif 000004
【図３】
0003124452.tif 000005
【図４Ａ】
0003124452.tif 000006
【図４Ｂ】
0003124452.tif 000007
【図５Ａ】
0003124452.tif 000008
【図５Ｂ】
0003124452.tif 000009
【図６】
0003124452.tif 000010
【図７】
0003124452.tif 000011